(57)【要約】【課題】大気中に含まれる塩素化有機化合物の採取および抽出を容易にする。【解決手段】塩素化有機化合物の採取器１は、大気を通過させるための、吸引口６および通気管９からなる一連の通気路を有するケース２並びに当該通気路内において積層された第一フイルター４および第二フイルター５を備えている。第一フイルター４は、例えば石英繊維ろ紙からなり、また、第二フイルター５は、少なくとも一部がシリル化された無機繊維群を含む通気性の成形体からなる。採取器１は、通気路の第二フイルター５側を減圧すると、第一フイルター４側から大気を吸引することができる。吸引された大気は、第一フイルターと第二フイルター５とをこの順に通過する。この際、塩素化有機化合物が付着した煤塵が第一フイルター４により捕捉され、また、ガス状態の塩素化有機化合物が第二フイルターにより吸着されて捕捉される。【選択図】        図１
2004290911.tif 000002
【特許請求の範囲】
【請求項１】
大気中に含まれる塩素化有機化合物を採取するためのフイルターであって、
無機繊維群を含む通気性の成形体を備え、
前記無機繊維群は、少なくとも一部がシリル化されている、
塩素化有機化合物の採取用フイルター。
【請求項２】
前記無機繊維群は、水酸基の総量の少なくとも１％がシリル化されている、請求項１に記載の塩素化有機化合物の採取用フイルター。
【請求項３】
前記無機繊維群がガラス繊維群である、請求項１または２に記載の塩素化有機化合物の採取用フイルター。
【請求項４】
前記成形体は、前記大気中に含まれる０．３〜０．５μｍの粒径の粒子を９０％以上捕捉可能である、請求項１、２または３に記載の塩素化有機化合物の採取用フイルター。
【請求項５】
前記成形体がシート状である、請求項１、２、３または４に記載の塩素化有機化合物の採取用フイルター。
【請求項６】
大気中に含まれる塩素化有機化合物を採取するためのフイルターの製造方法であって、
無機繊維群を含む通気性の成形体を用意する工程と、
シリル化剤を用いて前記成形体を処理する工程と、
を含む塩素化有機化合物の採取用フイルターの製造方法。
【請求項７】
前記シリル化剤は、前記無機繊維群に対し、ケイ素、炭素および水素以外の異種元素を含まないシリル基を付与可能なものである、請求項６に記載の塩素化有機化合物の採取用フイルターの製造方法。
【請求項８】
大気中に含まれる塩素化有機化合物を採取するための採取器であって、
前記大気を通過させるための通気路を有するケースと、
前記通気路内に配置された、前記大気中に含まれる煤塵を捕捉するための第一フイルターと、
前記通気路内において、前記大気の通過方向における前記第一フイルターの後段に配置された、少なくとも一部がシリル化された無機繊維群を含む通気性の成形体からなる第二フイルターと、
を備えた塩素化有機化合物の採取器。
【請求項９】
大気中に含まれる塩素化有機化合物を採取するための方法であって、
前記大気中に含まれる煤塵を捕捉するための第一フイルターと、少なくとも一部がシリル化された無機繊維群を含む通気性の成形体からなる第二フイルターとを、前記大気を通過させるための通気路に直列に配置する工程と、
前記通気路の前記第二フイルター側を減圧し、前記第一フイルター側から前記通気路内に前記大気を吸引する工程と、
を含む塩素化有機化合物の採取方法。
【発明の詳細な説明】
【０００１】
【発明の属する技術分野】
本発明は、採取用フイルター、特に、塩素化有機化合物の採取用フイルターに関する。
【０００２】
【従来の技術】
大気中には、産業廃棄物や一般家庭ごみなどの焼却施設から排気ガスが排出されているため、各種の塩素化有機化合物、特に、ダイオキシン類が含まれている可能性がある。ダイオキシン類は、ポリ塩化ジベンゾ・パラ・ダイオキシン類（ＰＣＤＤｓ）やポリ塩化ジベンゾフラン類（ＰＣＤＦｓ）等の総称であり、周知の如く極めて毒性の強い環境汚染物質であるが、その中でも四塩化ジベンゾダイオキシン（Ｔ４ＣＤＤｓ）は特に最強の毒性物質として知られている。また、ポリクロロビフェニル類は、同様に毒性の強い環境汚染物質であるが、その中でも、コプラナーＰＣＢ（Ｃｏ−ＰＣＢｓ）はダイオキシン類と同じく最強の毒性物質として認知されている。なお、本出願において、「ダイオキシン類」という用語は、平成１１年法律第１０５号「ダイオキシン類対策特別措置法」第２条の規定に倣い、ポリ塩化ジベンゾ・パラ・ダイオキシン類（ＰＣＤＤｓ）およびポリ塩化ジベンゾフラン類（ＰＣＤＦｓ）に加え、コプラナーＰＣＢ（Ｃｏ−ＰＣＢｓ）をも含む意味として用いる。
【０００３】
そこで、ヒトを含む動植物への悪影響を防止する観点から、大気中に含まれる塩素化有機化合物への対策が社会的な関心を集めているが、そのような対策を推進する上において、先ず、環境大気中に含まれる塩素化有機化合物の濃度を正確に測定する必要がある。そこで、非特許文献１は、大気中に含まれるダイオキシン類の採取方法および分析方法をマニュアル化している。
【０００４】
非特許文献１に記載されているダイオキシン類の採取方法は、石英繊維ろ紙とポリウレタンフォームとを直列に配置した試料採取装置を用いている。この試料採取装置は、ポリウレタンフォーム側を吸引ポンプにより減圧すると、石英繊維ろ紙側から大気を吸引することができる。吸引された大気は、石英繊維ろ紙およびポリウレタンフォームをこの順に通過する。ここで、煤塵に付着したダイオキシン類は、煤塵と共に石英繊維ろ紙により捕捉されて採取される。一方、ガス状態のダイオキシン類は、石英繊維ろ紙を通過するが、ポリウレタンフォームにより捕捉されて採取される。したがって、当該試料採取装置を用いて一定量の大気を吸引し、その後、石英繊維ろ紙およびポリウレタンフォームによりそれぞれ採取されたダイオキシン類を抽出して分析すると、吸引した一定量の大気中に含まれるダイオキシン類の濃度を測定することができる。
【０００５】
【非特許文献１】
環境省環境管理局  総務課ダイオキシン対策室  大気環境課  「ダイオキシン類に係る大気環境調査マニュアル」（平成１３年８月）
【０００６】
【発明が解決しようとする課題】
非特許文献１に記載の試料採取装置において用いられるポリウレタンフォームは、ダイオキシン類により汚染されていると分析結果の信頼性を損なうことになるため、試料採取装置に装填する前に、予め清浄化処理（ダイオキシン類フリー化処理）する必要がある。しかし、有機物であるポリウレタンフォームは、加熱による清浄化ができないため、通常はソックスレー抽出法や超音波抽出法等、溶媒を用いた煩雑な方法により清浄化する必要がある。また、ポリウレンタンフォームは、嵩高いため、試料採取装置の小型化を図る上での障害となり、また、そこで採取されたダイオキシン類を抽出するための操作が煩雑になる。
【０００７】
本発明の目的は、大気中に含まれるダイオキシン類の採取および抽出を容易にすることにある。
【０００８】
【課題を解決するための手段】
本発明に係る塩素化有機化合物の採取用フイルターは、大気中に含まれる塩素化有機化合物を採取するためのものであり、無機繊維群を含む通気性の成形体を備えている。ここで、無機繊維群は、少なくとも一部がシリル化されている。
【０００９】
この採取用フイルターにおいて、無機繊維群は、通常、水酸基の総量の少なくとも１％がシリル化されている。また、無機繊維群は、例えば、ガラス繊維群である。さらに、成形体は、例えば、大気中に含まれる０．３〜０．５μｍの粒径の粒子を９０％以上捕捉可能である。さらに、成形体は、例えば、シート状である。
【００１０】
この採取用フイルターは、無機繊維群からなるため、従来のポリウレタンフォームの場合のような使用前における清浄化処理を必要とせず、そのまま用いることができる。また、この採取用フイルターは、無機繊維群の少なくとも一部がシリル化されているため、大気が通過すると、当該大気中に含まれるガス状態の塩素化有機化合物を効果的に吸着して捕捉することができ、また、捕捉した塩素化有機化合物を溶媒中に溶出しやすい。しかも、この採取用フイルターは、無機繊維群を含む成形体を備えているため嵩を抑制しやすく、採取した塩素化有機化合物の抽出操作が容易である。
【００１１】
また、本発明の製造方法は、大気中に含まれる塩素化有機化合物を採取するためのフイルターを製造するための方法であり、無機繊維群を含む通気性の成形体を用意する工程と、シリル化剤を用いて成形体を処理する工程とを含んでいる。この製造方法において用いるシリル化剤は、通常、無機繊維群に対し、ケイ素、炭素および水素以外の異種元素を含まないシリル基を付与可能なものが好ましい。
【００１２】
この製造方法は、シリル化剤を用いて無機繊維群を含む通気性の成形体を処理する工程を含んでいるため、少なくとも一部がシリル化された無機繊維群を含む通気性の成形体を得ることができる。この成形体は、大気が通過すると、当該大気中に含まれるガス状態の塩素化有機化合物を効果的に吸着して捕捉することができ、また、捕捉した塩素化有機化合物を溶媒中に溶出しやすい。しかも、この成形体は、嵩を抑制しやすく、採取した塩素化有機化合物の抽出操作が容易である。
【００１３】
本発明に係る塩素化有機化合物の採取器は、大気中に含まれる塩素化有機化合物を採取するためのものであり、大気を通過させるための通気路を有するケースと、通気路内に配置された、大気中に含まれる煤塵を捕捉するための第一フイルターと、通気路内において、大気の通過方向における第一フイルターの後段に配置された、少なくとも一部がシリル化された無機繊維群を含む通気性の成形体からなる第二フイルターとを備えている。
【００１４】
この採取器は、ケースの通気路において、第二フイルター側を減圧すると、第一フイルター側から大気を吸引することができる。吸引された大気は、先ず、第一フイルターを通過する。この際、大気中に含まれる、塩素化有機化合物が付着した煤塵が第一フイルターにより捕捉される。次に、第一フイルターを通過した大気は、第二フイルターを通過する。この際、大気中に含まれるガス状態の塩素化有機化合物は、少なくとも一部がシリル化された無機繊維群を含む第二フイルターにより効果的に吸着されて捕捉される。第一フイルターおよび第二フイルターにそれぞれ捕捉された塩素化有機化合物は、各フイルターに対して抽出操作を実施すると、分析用の試料として抽出することができる。ここで、第二フイルターは、無機繊維群により捕捉した塩素化有機化合物を溶媒中に溶出しやすい。しかも、第二フイルターは、上述のように設定されているため嵩を抑制しやすく、採取した塩素化有機化合物の抽出操作が容易である。
【００１５】
本発明に係る塩素化有機化合物の採取方法は、大気中に含まれる塩素化有機化合物を採取するための方法であり、大気中に含まれる煤塵を捕捉するための第一フイルターと、少なくとも一部がシリル化された無機繊維群を含む通気性の成形体からなる第二フイルターとを、大気を通過させるための通気路に直列に配置する工程と、通気路の第二フイルター側を減圧し、前記第一フイルター側から通気路内に大気を吸引する工程とを含んでいる。
【００１６】
この採取方法では、通気路の第二フイルター側を減圧すると、第一フイルター側から大気が吸引される。吸引された大気は、先ず、第一フイルターを通過する。この際、大気中に含まれる、塩素化有機化合物が付着した煤塵が第一フイルターにより捕捉される。次に、第一フイルターを通過した大気は、第二フイルターを通過する。この際、大気中に含まれるガス状態の塩素化有機化合物は、少なくとも一部がシリル化された無機繊維群を含む第二フイルターにより効果的に吸着されて捕捉される。第一フイルターおよび第二フイルターにそれぞれ捕捉された塩素化有機化合物は、各フイルターに対して抽出操作を実施すると、分析用の試料として抽出することができる。ここで、第二フイルターは、無機繊維群により捕捉した塩素化有機化合物を溶媒中に溶出しやすい。しかも、第二フイルターは、上述のように設定されているため嵩を抑制しやすく、採取した塩素化有機化合物の抽出操作が容易である。
【００１７】
【発明の実施の形態】
図１を参照して、本発明に係る塩素化有機化合物の採取器の一形態を説明する。図において、塩素化有機化合物の採取器１は、大気中に含まれるダイオキシン類（塩素化有機化合物の一例）を採取するためのものであり、ケース２、フイルター保持体３、主として大気中に含まれる煤塵を採取するための第一フイルター４および主として大気中に含まれるガス状態のダイオキシン類を採取するための第二フイルター５（本発明に係る塩素化有機化合物の採取用フイルターの実施の一形態）を主に備えている。
【００１８】
ケース２は、フイルター保持体３を収容するための容器であって角筒状の部材であり、一端に大気の吸引口６を有している。また、ケース２の内周面において、長さ方向の中央部より吸引口６寄りの部位には、中心方向に水平に突出するフランジ７が形成されている。
【００１９】
フイルター保持体３は、第一フイルター４および第二フイルター５をケース２内で保持するためのものであり、図１および図２に示すように、支持板８と、通気管９とを主に備えている。支持板８は、金属製、例えば、ステンレス製の部材であり、ケース２の内周形状に対応した矩形の板状に形成されている。また、支持板８は、周縁部８ａを除き、通気性を有する網状体８ｂが形成されている。一方、通気管９は、漏斗状に形成されており、拡大部９ａ側の端部が支持板８の周縁部８ａと一体的に形成されている。また、通気管９の縮小部９ｂは、円筒状に形成されており、その先端には、後述する吸引ポンプに延びる吸引管を接続するためのソケット１０が装着されている。このソケット１０は、円筒状の部材であり、先端部がケース２から突出している。
【００２０】
上述のフイルター保持体３は、支持板８の周縁部８ａがフランジ７上に配置されており、これによりケース２内において支持されている。この結果、ケース２内において、吸引口６、通気管９およびソケット１０からなる一連の通気路が形成されている。
【００２１】
第一フイルター４は、支持体８と実質的に同サイズに設定された矩形状の通気性シートであり、例えば、無機繊維群を用いて形成されたろ紙からなる。ここで用いられるろ紙は、通常、大気中に含まれる煤塵等の粒子、特に、粒径が０．３〜０．５μｍの微粒子を９０％以上捕捉可能なものが好ましく、粒径が０．３μｍの微粒子を９９．９９％以上捕捉可能なものがより好ましい。粒子の捕捉能がこれよりも劣る場合、第一フイルター４は、大気中に含まれる煤塵に付着したダイオキシン類を実質的に漏れなく採取するのが困難になる可能性がある。なお、このような第一フイルター４において用いられる無機繊維群は、特に限定されるものではないが、例えば、アルミナ繊維、ガラス繊維およびシリカ繊維（石英繊維）のうちの一種若しくは二種以上からなる繊維群が好ましい。
【００２２】
なお、第一フイルター４としては、環境省環境管理局  総務課ダイオキシン対策室  大気環境課  「ダイオキシン類に係る大気環境調査マニュアル」（平成１３年８月）において規定された大気中のダイオキシン類の採取方法において使用が指定されている石英繊維ろ紙を用いるのが最も好ましい。
【００２３】
第二フイルター５は、無機繊維群を含みかつ通気性を有する柔軟な成形体であり、この実施の形態において、第一フイルター４と実質的に同サイズに設定された矩形のシート状に形成されている。ここで用いられる無機繊維群は、特に限定されるものではないが、アルミナ繊維、ガラス繊維およびシリカ繊維（石英繊維）のうちの一種若しくは二種以上からなる繊維群が好ましい。特に、無機繊維群としては、安価で入手が容易であり、しかも、抄紙等の方法により所望の形状に成形しやすいガラス繊維群を用いるのが好ましい。
【００２４】
上述のような無機繊維群を含む成形体は、通常、大気中に含まれる煤塵等の粒子、特に、粒径が０．３〜０．５μｍの微粒子を９０％以上捕捉可能な程度の通気性を有するものが好ましく、粒径が０．３μｍの微粒子を９９．９９％以上捕捉可能な程度の通気性を有するものがより好ましい。成形体の通気性がこれより高い場合は、大気中に含まれるガス状態のダイオキシン類を第二フイルター５により実質的に漏れなく採取するのが困難になる可能性がある。
【００２５】
第二フイルター５として用いられる上述の成形体に含まれる無機繊維群は、少なくとも一部がシリル化されている。このようなシリル化の結果、成形体は、疎水性と共にダイオキシン類をはじめとする塩素化有機化合物の吸着性が付与され、大気中に含まれるガス状態のダイオキシン類を吸着して採取することができる。ここで、無機繊維群は、それが有する水酸基の総量の少なくとも１％（すなわち、１％以上）がシリル化されているのが好ましい。当該シリル化の程度が１％未満の場合は、成形体の疎水性が不十分になり、大気中の水分が第二フイルター５において凝縮しやすくなる。この結果、大気中に含まれるガス状態のダイオキシン類のうち、塩素数の少ないもの（例えば、塩素数が４個のダイオキシン類）が第二フイルター５に吸着されにくくなる可能性がある。すなわち、大気中に含まれるガス状態のダイオキシン類の一部が第二フイルター５により採取されにくくなる可能性がある。
【００２６】
なお、シリル化により無機繊維群に付与されるシリル基は、例えばトリメチルシリル基等のアルキルシリル基等であって特に限定されるものではないが、通常、ケイ素、炭素および水素以外の異種元素、例えば、窒素元素や硫黄元素等を含まないものが好ましい。無機繊維群に付与されたシリル基がこれらの異種元素を含む場合、後述するダイオキシン類の抽出工程においてこれらの異種元素が溶媒中に溶出し、ダイオキシン類の精密分析を阻害する可能性がある。なお、無機繊維群には、２種以上のシリル基が付与されていてもよい。
【００２７】
上述のような第二フイルター５は、例えば、次のようにして製造することができる。先ず、上述のような無機繊維群を含む通気性の成形体を用意する。この成形体は、公知の各種の方法により作製することができる。例えば、シート状の成形体は、無機繊維群を水中に分散させて抄紙すると製造することができる。なお、成形体としては、例えば、上述の第一フイルター４として用いられるろ紙、特に、上述の「ダイオキシン類に係る大気環境調査マニュアル」において使用が指定された石英繊維ろ紙がそのまま用いられてもよい。
【００２８】
次に、シリル化剤を用いて成形体を処理する。ここでの処理方法としては、通常、シリル化剤を溶解した有機溶媒中に成形体を所定時間浸漬し、その後、成形体を乾燥する方法を採用することができる。なお、シリル化剤を溶解するための有機溶媒は、特に限定されるものではないが、通常、トルエンなどの炭化水素溶媒を用いるのが好ましい。また、有機溶媒に溶解するシリル化剤の量は、通常、０．６〜３ｍｌ／１００ｍｌ有機溶媒程度に設定するのが好ましい。このような処理の結果、成形体を構成する無機繊維群の少なくとも一部、すなわち、無機繊維群が有する水酸基の少なくとも一部がシリル化され、目的とする第二フイルター５が得られる。
【００２９】
ここで用いられるシリル化剤は、無機繊維群をシリル化することができるものであれば特に限定されるものではないが、上述の理由により、無機繊維群に対し、ケイ素、炭素および水素以外の異種元素、特に、窒素元素および硫黄元素を含まないシリル基を付与可能なものが好ましい。なお、シリル化剤として特に好ましいものは、通常、トリメチルクロロシリルやトリエチルクロロシリル等のトリアルキルハロゲン化シリルである。シリル化剤は、２種以上のものが併用されてもよい。
【００３０】
なお、第二フイルター５は、上述のような成形物からなるため、従来のポリウレタンフォームに比べて嵩を抑制しやすい。すなわち、第二フイルター５は、ダイオキシン類の採取能力を維持しながら小型化することができるため、採取器１の小型化に寄与し得る。
【００３１】
上述の採取器１において、第二フイルター５は、図１および図２に示すように、フランジ７により支持されたフイルター保持体３の支持板８上に配置されている。また、第一フイルター４は、第二フイルター５上に重ねて配置されている。この結果、第二フイルター５は、ケース２内に形成された上述の通気路内において、吸引口６からソケット１０への大気の通過方向における第一フイルター４の後段に配置されることになる。換言すると、第一フイルター４と第二フイルター５とは、ケース２内に形成された上述の通気路において、直列に配置されることになる。
【００３２】
次に、上述の採取器１を用いた、大気中に含まれるダイオキシン類の採取方法を説明する。この採取方法では、先ず、第一フイルター４および第二フイルター５を備えた上述の採取器１を組み立てる。ここでは、フイルター保持体３の支持板８上に第二フイルター５および第一フイルター４をこの順に積層し、フイルター保持体３をケース２内に装着する。この結果、採取器１では、既述の通り、ケース２内に形成された上述の通気路において、第一フイルター４と第二フイルター５とが直列に配置された状態になる。
【００３３】
因みに、各フイルター４，５は、大気中に含まれるダイオキシン類による汚染を防ぐため、気密性の高い袋等の容器内に封入しておき、本採取方法の実施時に当該容器を開封して使用するのが好ましい。ここで、第二フイルター５は、基本的に無機物からなるため、従来のポリウレタンフォームとは異なり、使用前にダイオキシン類を除去するための清浄化処理を適用する必要がなく、そのまま即座に使用することができる。また、第二フイルター５は、ポリウレタンフォームに比べて嵩が小さいため、採取器１に対して容易に装着することができる。
【００３４】
次に、採取器１のソケット１０に対し、図１に一点鎖線で示すように、図示しない吸引ポンプから延びる吸引管１１の端部を接続する。なお、吸引管１１は、大気の流量計を備えたものが好ましい。そして、各フイルター４，５が水平になるよう、採取器１を大気試料の採取場所に設置し、吸引ポンプを作動させる。これにより、採取器１では、通気路の第二フイルター５側が減圧され、図１に矢印で示すように、第一フイルター４側に位置する吸引口６から通気路内に大気が吸引される。
【００３５】
吸引口６から吸引された大気は、先ず、第一フイルター４を通過する。この際、大気中に含まれる煤塵は、第一フイルター４に捕捉されて採取される。この結果、煤塵に付着したダイオキシン類は、第一フイルター４により採取されることになる。第一フイルター４を通過した大気は、続いて第二フイルター５を通過する。この際、大気中に含まれるガス状態のダイオキシン類は、第二フイルター５に吸着されて採取される。なお、第二フイルター５は、上述のように無機繊維群の少なくとも一部がシリル化されているため疎水性を有するので、大気中に比較的多量の水分が含まれている場合であっても、当該水分を凝縮させにくい。このため、第二フイルター５は、大気中の水分の多少に拘わらず、大気中に含まれるガス状態の各種の塩素数のダイオキシン類を実質的に漏れなく吸着して採取することができる。
【００３６】
因みに、採取器１による大気の吸引操作は、通常、上述の「ダイオキシン類に係る大気環境調査マニュアル」において規定された条件に従って実施するのが好ましい。例えば、環境大気中に含まれるダイオキシン類の２４時間平均値を求める場合は、７００ｌ／分程度の高流量で、大気を２４時間吸引する。また、環境大気中に含まれるダイオキシン類の週平均値を求める場合は、７００ｌ／分程度の高流量で大気を２４時間吸引する操作を７回繰返して実施するか、１００ｌ／分程度の中流量で７日間連続して大気を吸引する。
【００３７】
上述のようにして大気中から採取したダイオキシン類は、第一フイルター４および第二フイルター５のそれぞれに対して抽出操作を実施すると、抽出することができる。そして、各フイルター４，５から抽出されたダイオキシン類を高分解能ガスクロマトグラフ質量分析法により分析すると、吸引した大気中に含まれるダイオキシン類を定性的および定量的に評価することができる。
【００３８】
なお、各フイルター４，５に対する抽出操作は、通常、有機溶媒を用いるソックスレー抽出法によるのが好ましい。ここで、第二フイルター５は、上述のような柔軟性を有する成形体からなり、しかも、従来のポリウレタンフォームに比べて嵩が小さいため、ソックスレー抽出器に装着しやすく、ダイオキシン類の抽出操作を容易に実施することができる。
【００３９】
因みに、抽出操作において用いられる有機溶媒は、特に限定されるものではないが、第一フイルター４についてはトルエンを用いるのが好ましく、第二フイルター５についてはトルエン若しくはヘキサンを用いるのが好ましい。
【００４０】
使用後の採取器１は、通常、ケース２およびフイルター保持体３を十分に洗浄し、また、各フイルター４，５を別の新しいものに交換すると、繰返し使用することができる。
【００４１】
［他の実施の形態］
（１）上述の採取器１では、第二フイルター５をシート状に形成し、１枚の第二フイルター５を用いたが、第二フイルター５は、大気の吸引量等に応じて２枚以上積層して用いることもできる。
（２）上述の採取器１では、第二フイルター５を第一フイルター４と同サイズのシート状に形成したが、第二フイルター５は、大気の吸引量に応じ、第一フイルター４よりも厚みを大きく設定することができる。
【００４２】
（３）上述の採取器１では、フイルター保持体３の支持板８上に第二フイルター５と第一フイルター４とを積層することにより、ケース２の通気路内において、大気の通過方向に対して両フイルター４，５を直列に配置したが、両フイルター４，５の配置方法はこれに限定されない。例えば、支持板８上に第一フイルター４のみを配置し、通気管９の縮小部９ｂ内にシート状の第二フイルター５をロール巻きして充填した場合も、両フイルター４，５を通気路内において直列に配置することができる。
【００４３】
【実施例】
環境省環境管理局  総務課ダイオキシン対策室  大気環境課  「ダイオキシン類に係る大気環境調査マニュアル」（平成１３年８月）において使用が指定された煤塵採取用の石英繊維ろ紙を、トリメチルクロロシリルのトルエン溶液（濃度＝０．６ｍｌ／１００ｍｌトルエン）中に１５分間浸漬した。そして、トルエン溶液から石英繊維ろ紙を取り出し、１１０℃で約３時間乾燥した。これにより、目的とする採取用フイルターを得た。この採取用フイルターは、石英繊維ろ紙が有する水酸基の総量の約２％がトリメチルシリル基によりシリル化されていた。
【００４４】
次に、得られた採取用フイルターによるダイオキシン類の採取能力を試験するため、図３に示す試験装置を組み立てた。図３において、試験装置２０は、フイルターホルダ２１、試料導入装置２２および吸引装置２３を主に備えている。フイルターホルダ２１は、円筒状のカラムであり、上述のようにして得られた採取用フイルター２４がロール巻きした状態で内部に装填されている。
【００４５】
試料導入装置２２は、試料供給管２５を備えている。試料供給管２５は、一端がフイルターホルダ２１の一端に気密に接続されており、また、フイルターホルダ２１の近傍において、分岐管２６を有している。この分岐管２６は、各種のポリ塩化ジベンゾ・パラ・ダイオキシン類（ＰＣＤＤｓ）、ポリ塩化ジベンゾフラン類（ＰＣＤＦｓ）およびコプラナーＰＣＢ（Ｃｏ−ＰＣＢｓ）を含むダイオキシン類標準液を試料供給管２５内に供給するためのものである。また、試料供給管２５の他端には、管状の加熱炉２７が配置されている。この加熱炉２７は、ペリスターポンプ２８から供給される水を加熱し、試料供給管２５内を流れる空気の水分量を調節するためのものである。なお、試料供給管２５は、空気中の水分が凝縮するのを防止するため、加熱炉２７と分岐管２６との間がマントルヒーター２９により暖められている。
【００４６】
吸引装置２３は、吸引管３０、インピンジャー３１および吸引ポンプ３２を主に備えている。吸引管３０は、一端がフイルターホルダ２１の他端に気密に接続されており、他端がインピンジャー３１内に延びている。また、吸引管３０は、吸引中の空気の温度を測定するための温度測定装置３３を備えている。インピンジャー３１は、内部にダイオキシン類を溶解するための水３４が貯留されている。水３４は、ダイオキシン類を含まない純水である。そして、吸引管３０の他端は、インピンジャー３１内に貯留された水３４中に配置されている。吸引ポンプ３２は、インピンジャー３１内から延びる吸引経路３５に接続されている。吸引経路３５のインピンジャー３１側の端部は、水３４の上方に配置されている。
【００４７】
上述の試験装置２０において、吸引ポンプ３２により空気を吸引しつつ、分岐管２６から試料供給管２５内に所定量のダイオキシン類標準液を供給すると、ダイオキシン類標準液は、空気中に分散してフイルターホルダ２１内に吸引され、そこに装填された採取用フイルター２４により採取される。採取用フイルター２４により採取されなかったダイオキシン類は、吸引管３０を通じてインピンジャー３１内の水３４中に溶解する。したがって、水３４中に含まれるダイオキシン類量を求めると、採取用フイルター２４によるダイオキシン類の捕捉率を求めることができる。すなわち、捕捉率は、次の式により求めることができる。式中、Ａは、試料供給管２５内に供給する所定量のダイオキシン類標準液に含まれるダイオキシン類量であり、Ｂは、水３４中に含まれるダイオキシン類量である。
【００４８】
【数１】
2004290911.tif 000003
【００４９】
試験１
ＰＣＤＤｓ、ＰＣＤＦｓおよびＣｏ−ＰＣＢｓをそれぞれ３ｎｇずつ含むダイオキシン類標準液（ｎ−ヘキサン溶液）を用い、また、吸引ポンプ３２による空気の吸引量を１５ｌ／分に設定して、採取用フイルター２４によるダイオキシン類の捕捉率を調べた。ここでは、ペリスターポンプ２８を停止し、吸引中の空気中に含まれる水分量を０％に設定した。結果を表１に示す。
【００５０】
試験２
ペリスターポンプ２８を作動して吸引中の空気中の水分量を４０％に設定した点を除き、試験１と同様にして採取用フイルター２４によるダイオキシン類の捕捉率を調べた。結果を表１に示す。
【００５１】
試験３
ダイオキシン類標準液として、ＰＣＤＤｓ、ＰＣＤＦｓおよびＣｏ−ＰＣＢｓをそれぞれ３００ｎｇずつ含むものを用いた点を除き、試験１と同様にして採取用フイルター２４によるダイオキシン類の捕捉率を調べた。結果を表１に示す。
【００５２】
試験４
試験３で用いたものと同じダイオキシン類標準液を用いた点を除き、試験２と同様にして採取用フイルター２４によるダイオキシン類の捕捉率を調べた。結果を表１に示す。
【００５３】
【表１】
2004290911.tif 000004
【００５４】
表１によると、本実施例で得られた採取用フイルター２４は、空気中の水分量の多少に拘わらず、ダイオキシン類を効果的に捕捉して採取することができることがわかる。なお、各試験において、採取用フイルター２４により採取されたダイオキシン類は、トルエンを溶媒とするソックスレー抽出法により、ポリウレタンフォームからなるフイルターにより採取されたダイオキシン類を抽出する場合と同程度の短時間で容易に抽出することができた。
【００５５】
【発明の効果】
本発明に係る塩素化有機化合物の採取用フイルターは、少なくとも一部がシリル化された無機繊維群を含む通気性の成形体を備えているため、大気中に含まれるガス状態の塩素化有機化合物を効果的に吸着して捕捉することができ、また、捕捉した塩素化有機化合物を溶媒中に溶出しやすい。しかも、この採取用フイルターは、従来のポリウレタンフォームからなるものに比べて嵩を抑制しやすく、採取した塩素化有機化合物の抽出操作が容易である。
【００５６】
本発明に係る塩素化有機化合物の採取用フイルターの製造方法は、シリル化剤を用いて無機繊維群を含む通気性の成形体を処理する工程を含んでいるため、大気中に含まれるガス状態の塩素化有機化合物を効果的に吸着して捕捉することができ、また、捕捉した塩素化有機化合物を溶媒中に溶出しやすい。しかも、この製造方法により得られる採取用フイルターは、従来のポリウレタンフォームからなるものに比べて嵩を抑制しやすく、採取した塩素化有機化合物の抽出操作が容易である。
【００５７】
本発明に係る塩素化有機化合物の採取器は、通気路内の大気の通過方向において、少なくとも一部がシリル化された無機繊維群を含む通気性の成形体からなる第二フイルターが大気中に含まれる煤塵を除去するための第一フイルターの後段に配置されているので、大気中に含まれる粒子状態およびガス状態の両形態の塩素化有機化合物を効果的に採取することができる。しかも、第二フイルターは、従来のポリウレタンフォームからなるものに比べて嵩を抑制することができるので、採取した塩素化有機化合物の抽出操作が容易である。
【００５８】
本発明に係る塩素化有機化合物の採取方法は、大気中に含まれる煤塵を除去するための第一フイルターと、少なくとも一部がシリル化された無機繊維群を含む通気性の成形体からなる第二フイルターとを用いているので、大気中に含まれる粒子状態およびガス状態の両形態の塩素化有機化合物を効果的に採取することができる。しかも、この方法において用いられる第二フイルターは、従来のポリウレタンフォームからなるものに比べて嵩を抑制することができるので、採取した塩素化有機化合物の抽出操作が容易である。
【図面の簡単な説明】
【図１】本発明の実施の一形態に係る塩素化有機化合物の採取器の縦断面図。
【図２】前記採取器において採用されたフイルター保持体の斜視図。
【図３】実施例において用いた試験装置の概略図。
【符号の説明】
１  採取器
２  ケース
４  第一フイルター
５  第二フイルター
【図１】
2004290911.tif 000005
【図２】
2004290911.tif 000006
【図３】
2004290911.tif 000007